(57)【要約】      （修正有）【課題】テナント間のセキュリティが図れ、しかも管理エリアへの信号線の配線が１本で済む遠隔制御システムを提供する。【解決手段】伝送ユニット５は、アドレス設定器６との間でワイヤレス信号によって通信してアドレス設定許可用のＩＤコードをアドレス設定器６に与えるとともに与えた識別情報を伝送信号Ｖｓによって各操作端末器２に伝送する機能とを備えている。アドレス設定器６は、伝送ユニット５から与えられたＩＤコードを保持し、アドレス設定を行う際に操作端末器２のアドレスを設定するためのアドレス設定情報とともにＩＤコードを操作端末器２にワイヤレス信号で送る機能を備えている。操作端末器２はアドレス設定器６から送られてくるＩＤコードと伝送ユニット５から予め送られてきているＩＤコードとが一致している場合のみアドレス設定器６からのアドレス設定情報によってアドレスを設定する。【選択図】図１
2008135861.tif 000002
【特許請求の範囲】
【請求項１】
スイッチを備えている複数台の操作用の端末器と、負荷が接続されている複数台の制御用の端末器と、前記操作用の端末器及び前記制御用の端末器とともに信号線に接続された伝送ユニットとを備え、
該伝送ユニットは、前記信号線を介して前記各操作用の端末器及び各制御用の端末器に設定しているアドレス宛に時分割多重の伝送信号を伝送することにより各操作用の端末器及び各制御用の端末器との間で情報を授受し、前記操作用の端末器からスイッチの操作情報を受け取ると、当該操作用の端末器に対応関係を持たせてある制御用の端末器宛に当該制御用の端末器に接続されている負荷を制御する制御情報を伝送する遠隔制御システムであって、
前記端末器に対して、アドレスを設定するためのアドレス設定情報をワイヤレス若しくは有線の信号路を介して当該端末器に送って当該端末器のアドレスを設定するアドレス設定器を具備し、
前記伝送ユニットは、前記アドレス設定器との間でワイヤレス若しくは有線の通信路を介して通信してアドレス設定許可用の識別情報を前記アドレス設定器に与えるとともに与えた識別情報を伝送信号によって各端末器に伝送する機能とを備え、
前記アドレス設定器は、前記伝送ユニットから与えられた識別情報を保持し、アドレス設定を行う際に前記アドレス設定情報とともに識別情報を設定対象の端末器に前記信号路を介して送る機能を備え、
前記端末器は、アドレス設定時に前記アドレス設定器から送られてくる前記識別情報と前記伝送ユニットから予め送られてきている識別情報とが一致している場合のみアドレス設定器からの前記アドレス設定情報によってアドレスを設定するアドレス設定機能を備えていることを特徴とする遠隔制御システム。
【請求項２】
スイッチを備えている複数台の操作用の端末器と、負荷が接続されている複数台の制御用の端末器と、前記操作用の端末器及び前記制御用の端末器とともに信号線に接続された伝送ユニットとを備え、
伝送ユニットは、前記信号線を介して前記各操作用の端末器及び各制御用の端末器に設定しているアドレス宛に時分割多重の伝送信号を伝送することにより各操作用の端末器及び各制御用の端末器との間で情報を授受し、前記操作用の端末器からスイッチの操作情報を受け取ると、当該操作用の端末器に対応関係を持たせてある制御用の端末器宛に当該制御用の端末器に接続されている負荷を制御する制御情報を伝送する負荷遠隔制御システムであって、
テナントエリア毎に設置されるローカル伝送ユニットと、管理エリアに設置されるメイン伝送ユニットとを備え、
ローカル伝送ユニットは、対応するテナントエリアに配線されたローカル用信号線と、管理エリア側のメイン伝送ユニットが接続されるメイン用信号線とを各別に接続し、前記ローカル用信号線に接続される当該テナントエリアに設置された前記操作用の端末器及び前記制御用の端末器との間で情報の授受を行って前記操作用の端末器のスイッチの操作情報に基づいて対応関係のある制御用の端末器に制御情報を伝送する機能と、前記メイン用信号線を介して前記メイン伝送ユニットの間で情報の授受を行い、前記メイン伝送ユニットから送られてくる制御情報により指定されるローカルエリア内の制御用の端末器に対して送る制御情報を生成して伝送する機能とを少なくとも備え、
前記メイン伝送ユニットは、前記メイン用信号線に接続されている前記操作用の端末器のスイッチの操作情報を受け取ると、当該操作用の端末器に対応関係を持たせてあるテナントエリア内の制御用の端末器に対応した制御情報を当該テナントエリアの前記ローカル伝送ユニット宛に伝送する機能を少なくとも備えていることを特徴とする遠隔制御システム。
【発明の詳細な説明】
【技術分野】
【０００１】
本発明は、時時分割多重伝送方式を用いた遠隔制御システムに関するものである。
【背景技術】
【０００２】
従来から、図６に示す構成の遠隔で制御と監視を行う遠隔監視制御システムが知られている（例えば、特許文献１）。
【０００３】
この遠隔監視制御システムでは、伝送ユニット５に接続された専用２線式の信号線４に複数台ずつの制御用の端末器（以下制御端末器という）１及び操作用の端末器（以下操作端末器という）２が接続される。制御端末器１及び操作端末器２には、夫々個別のアドレスが設定され、伝送ユニット５はアドレスを用いて制御端末器１及び操作端末器２を個別に認識する。
【０００４】
また、各操作端末器２には最大で４個のスイッチＳが設けられ、各制御端末器１では最大で４個の負荷Ｌ、例えば照明負荷が接続可能になっている。各操作端末器２に設けたスイッチＳは負荷番号により個別に識別され、また各制御端末器１に接続された照明負荷Ｌは負荷番号により個別に識別される。従って、スイッチＳと負荷Ｌとは夫々アドレス及び負荷番号の組を識別情報として個別に識別される。スイッチＳには押圧中にのみオンになるモメンタリ型の小型押釦スイッチ（タクトスイッチ）を用いており、操作端末器２ではスイッチＳが押圧された瞬間のみの情報を用いる。
【０００５】
伝送ユニット５は信号線４に対して、図７に示すフォーマットの固定長の伝送信号Ｖｓを送出する。伝送信号Ｖｓは、図７（ａ）のようにパルス幅変調された双極性（±２４Ｖ）の時分割多重信号であり、信号送出開始を示す同期信号ＳＴ、伝送信号Ｖｓのモードを示すモードデータＭＤ、操作端末器２や制御端末器１に個々にアクセスするのに用いるアドレスデータＡＤ、照明負荷Ｌを制御する制御データＣＤ、伝送誤りを検出するためのチェックサムデータＣＳ、操作端末器２や制御端末器１からの返送信号（監視データ）を受信するタイムスロットである信号返送期間ＷＴを含む。伝送信号Ｖｓにおいて信号返送期間ＷＴ以外には上述のように電圧モード信号を伝送しているが、信号返送期間ＷＴには電流モード信号（信号線４を適当な低インピーダンスを介して短絡することにより送出される信号）を伝送する。
【０００６】
伝送ユニット５では、通常時は、モードデータＭＤをダミーモードとしアドレスデータＡＤを循環的に変化させた伝送信号Ｖｓを一定時間間隔で送出している（常時ポーリング）。操作端末器２においてスイッチＳの操作に伴う監視入力が発生すると、ダミーモードの伝送信号Ｖｓの同期信号ＳＹに同期させて図７（ｂ）のような割込信号Ｖｉを発生させるとともに割込フラグを設定する。
【０００７】
すなわち、ダミーモードの伝送信号Ｖｓにおいて、操作端末器２からの割込信号Ｖｉを伝送ユニット５が検出すると、当該伝送信号ＶｓのモードデータＭＤをアドレス検索モードとする。割込フラグが設定されている操作端末器２では、アドレス検索モードの伝送信号Ｖｓを受信すると、この伝送信号Ｖｓの信号返送期間ＷＴにおいてアドレスを返送する。
【０００８】
伝送ユニット５では割込信号Ｖｉを発生させた操作端末器２のアドレスを取得して、このアドレスをアドレスデータＡＤとした、操作端末器２の監視情報を要求する伝送信号Ｖｓを信号線４に送出する。要求を受けた操作端末器２では、この伝送信号Ｖｓの信号返送期間ＷＴにおいて操作端末器２から伝送ユニット５に監視情報を返送信号として送る。
【０００９】
さて伝送ユニット５では、操作端末器２からの監視情報を受けると、伝送信号のアドレスデータＡＤ及び信号返送期間ＷＴに受け取った監視情報の上位４ビットで示される負荷番号で指定されたスイッチＳの識別情報を、伝送ユニット５に内蔵した記憶部の対応付けテーブルと照合し、スイッチＳに対応する負荷Ｌの識別情報を抽出する。そして監視情報の下位４ビットで指示される負荷制御内容に基づいて当該負荷Ｌが接続されている制御端末器１を指定するアドレスデータＡＤを有し、且つ当該負荷Ｌの負荷番号について負荷制御内容、例えばオンを指示する制御データＣＤを有する伝送信号Ｖｓを伝送する。
【００１０】
伝送ユニット５が制御端末器１に対して負荷Ｌの制御データＣＤを有する伝送信号Ｖｓを伝送する際には、モードデータＭＤを制御モードとする。また制御データＣＤは実際には８ビットであって、２ビットずつが１個の負荷番号に対応付けられ、２ビットのビット値により照明負荷Ｌのオン・オフが示される。
【００１１】
制御端末器１では、信号線４を介して受信した伝送信号Ｖｓにより伝送されたアドレスデータＡＤが自己のアドレスに一致すると、伝送信号Ｖｓから制御データＣＤを取り込み、制御データＣＤで指定された負荷番号の負荷Ｌを指定された制御状態（オン又はオフ）に制御する。負荷Ｌが接続された制御端末器１からは信号返送期間ＷＴにおいて当該負荷Ｌを負荷制御（例えばオン）した旨を伝送ユニット５へ通知する。
【００１２】
伝送ユニット５ではこの通知を受け取ると、負荷制御指示を行った操作端末器２のアドレスデータＡＤを有し、且つ当該照明負荷Ｌの負荷番号に対応するスイッチＳに併設しているオン動作表示用のランプ、オフ動作表示用のランプの内、負荷制御指示内容に対応する一方を点灯させ、他方を消灯させる指示を与える制御データＣＤを有する伝送信号Ｖｓを送信する。
【００１３】
操作端末器２では信号線４を介して受信した伝送信号Ｖｓにより伝送されたアドレスデータＡＤが自己のアドレスに一致すると、伝送信号Ｖｓから制御データＣＤを取り込み、制御データＣＤで指定されたスイッチＳに併設している動作表示用のランプの一方を点灯させ、他方を消灯させる。上述の場合負荷Ｌをオンさせる操作を行っているので、オン動作表示用のランプが点灯される。
【００１４】
これにより操作端末器２で負荷Ｌの操作とともに、負荷Ｌの動作状態の監視も行えることになる。
【００１５】
また、各操作端末器２では操作対象の負荷Ｌが接続されている制御端末器１のアドレスに対応したアドレスや、スイッチＳに対応する負荷番号をアドレス設定器６からの赤外光を用いたワイヤレス信号により設定可能になっている。この場合制御端末器１のアドレスと対応付けてある操作端末器２用のアドレスの組み合わせをチャンネルで表現しており、チャンネルを設定することで、操作対象となる負荷Ｌを接続している制御端末器１のアドレスに対応付けのあるアドレスが当該操作端末器２の固有アドレスとして設定されるようになっている。
【００１６】
さて、上述のような遠隔監視制御システムは同じ信号線４に制御端末器１と操作端末器２とを並列接続するだけで良いため、省配線化が図れる上に増築や改装などに容易に対処できるというメリットがあるため、図８に示すようにテナントビルのテナントエリアＡ１…毎に設けた負荷（以下照明負荷とする）Ｌをオン・オフ操作するシステムに良く利用されている。
【００１７】
この図８のシステムでは、テンナントビルの管理センターとして設けられる監視室Ｂに伝送ユニット５を設置し、この伝送ユニット５と、各テンナントエリアＡ１…内に設けた制御端末器１及び制御端末器２とを信号線４により接続してシステム構築を行い、各テナントエリアＡ１…の操作端末器２のアドレス（チャンネル）を当該テナントエリア内の制御端末器１のアドレス（チャンネル）に対応付け、同一エリア内にある照明負荷Ｌを操作端末器２のスイッチＳでオン・オフ操作できるようにしている一方、監視室Ｂに設けた操作端末器２…のアドレス（チャンネル）を全てのテナントエリアＡ１…内に制御端末器１のアドレス（チャンネル）に対応付け、監視室Ｂ内の操作端末器２のスイッチＳで全テナントエリアＡ１…の照明負荷Ｌ…の操作と動作監視を行うことができるようなっている。
【００１８】
尚図中３は制御端末器１を収納している分電盤を示す。
【特許文献１】特開２０００−３５８２８７号公報
【発明の開示】
【発明が解決しようとする課題】
【００１９】
ところで、図８に示すようなテナントビルに設けた遠隔監視制御システムでは、例えばテナントエリアＡ１に設置している操作端末器２のアドレス（チャンネル）を、テナントエリアＡ２に設置している制御端末器２のアドレス（チャンネル）に対応付けるようにアドレス設定器６を用いて設定変更した場合、テナントエリアＡ１の操作端末器２でテナントエリアＡ２の照明負荷Ｌの操作や、その動作状態を監視することができることになり、セキュリティ上好ましくないという問題があった。
【００２０】
このような問題を解決するためには、図９に示すように各テナントエリアＡ１…毎に伝送ユニット５…を設けて、各テナントエリアＡ１…毎に独立した遠隔監視制御システムを構築すれば良いが、監視室Ｂで全テナントエリアＡ１…の照明負荷Ｌの操作と動作監視を行うためには、夫々のテナントエリアＡ１…に設けた遠隔監視制御システムの信号線４を夫々監視室Ｂまで配線して、夫々の信号線４に夫々のテナントエリアＡ１…に設置している制御端末器１のアドレス（チャンネル）に対応付けてある操作端末器２…を接続する必要がある。そのため、監視室Ｂへの信号線４の配線をテナントエリア数分必要とするという課題が新たに発生する。
【００２１】
本発明は、上述の点に鑑みて為されたもので、テナント間のセキュリティが図れ、しかも管理エリアへの信号線の配線が１本で済む遠隔制御システムを提供することにある。
【課題を解決するための手段】
【００２２】
上述の目的を達成するために、請求項１の発明では、スイッチを備えている複数台の操作用の端末器と、負荷が接続されている複数台の制御用の端末器と、前記操作用の端末器及び前記制御用の端末器とともに信号線に接続された伝送ユニットとを備え、該伝送ユニットは、前記信号線を介して前記各操作用の端末器及び各制御用の端末器に設定しているアドレス宛に時分割多重の伝送信号を伝送することにより各操作用の端末器及び各制御用の端末器との間で情報を授受し、前記操作用の端末器からスイッチの操作情報を受け取ると、当該操作用の端末器に対応関係を持たせてある制御用の端末器宛に当該制御用の端末器に接続されている負荷を制御する制御情報を伝送する遠隔制御システムであって、前記端末器に対して、アドレスを設定するためのアドレス設定情報をワイヤレス若しくは有線の信号路を介して当該端末器に送って当該端末器のアドレスを設定するアドレス設定器を具備し、前記伝送ユニットは、前記アドレス設定器との間でワイヤレス若しくは有線の通信路を介して通信してアドレス設定許可用の識別情報を前記アドレス設定器に与えるとともに与えた識別情報を伝送信号によって各端末器に伝送する機能とを備え、前記アドレス設定器は、前記伝送ユニットから与えられた識別情報を保持し、アドレス設定を行う際に前記アドレス設定情報とともに識別情報を設定対象の端末器に前記信号路を介して送る機能を備え、前記端末器は、アドレス設定時に前記アドレス設定器から送られてくる前記識別情報と前記伝送ユニットから予め送られてきている識別情報とが一致している場合のみアドレス設定器からの前記アドレス設定情報によってアドレスを設定するアドレス設定機能を備えていることを特徴とする。
【００２３】
また請求項２の発明では、スイッチを備えている複数台の操作用の端末器と、負荷が接続されている複数台の制御用の端末器と、前記操作用の端末器及び前記制御用の端末器とともに信号線に接続された伝送ユニットとを備え、伝送ユニットは、前記信号線を介して前記各操作用の端末器及び各制御用の端末器に設定しているアドレス宛に時分割多重の伝送信号を伝送することにより各操作用の端末器及び各制御用の端末器との間で情報を授受し、前記操作用の端末器からスイッチの操作情報を受け取ると、当該操作用の端末器に対応関係を持たせてある制御用の端末器宛に当該制御用の端末器に接続されている負荷を制御する制御情報を伝送する負荷遠隔制御システムであって、テナントエリア毎に設置されるローカル伝送ユニットと、管理エリアに設置されるメイン伝送ユニットとを備え、ローカル伝送ユニットは、対応するテナントエリアに配線されたローカル用信号線と、管理エリア側のメイン伝送ユニットが接続されるメイン用信号線とを各別に接続し、前記ローカル用信号線に接続される当該テナントエリアに設置された前記操作用の端末器及び前記制御用の端末器との間で情報の授受を行って前記操作用の端末器のスイッチの操作情報に基づいて対応関係のある制御用の端末器に制御情報を伝送する機能と、前記メイン用信号線を介して前記メイン伝送ユニットの間で情報の授受を行い、前記メイン伝送ユニットから送られてくる制御情報により指定されるローカルエリア内の制御用の端末器に対して送る制御情報を生成して伝送する機能とを少なくとも備え、前記メイン伝送ユニットは、前記メイン用信号線に接続されている前記操作用の端末器のスイッチの操作情報を受け取ると、当該操作用の端末器に対応関係を持たせてあるテナントエリア内の制御用の端末器に対応した制御情報を当該テナントエリアの前記ローカル伝送ユニット宛に伝送する機能を少なくとも備えていることを特徴とする。
【発明の効果】
【００２４】
請求項１の発明は、各端末器に伝送ユニットから与えられている識別情報と一致する識別情報を伝送ユニットから受け取っていないアドレス設定器による端末器のアドレス変更が不可能であるため、いたずらによるアドレス変更を防止することができ、或るテナントエリアに設けた操作用の端末器のスイッチによって別のテナントエリアに設けた制御用の端末器に接続されている負荷が操作される恐れがなくなり、複数のテンナントが入居しているビル等においてテナント間でのセキュリティが図れ、しかも管理エリアの伝送ユニットと各テナントエリアの各端末器との接続配線を１本の信号線で済む。
【００２５】
請求項２の発明は、テナントエリア毎に設けたローカル伝送ユニット間に跨る多重伝送信号の伝送ができないため、或るテナントエリアに設けた操作用の端末器のスイッチで別のテンナントエリアに設けた制御用の端末器に接続されている負荷が操作される恐れがなく、複数のテンナントが入居しているビル等においてテナント間でのセキュリティが図れ、しかも管理エリア側に設けた操作用の端末器のスイッチによってテナントエリア内の制御用の端末器に接続されている負荷の操作ができる上に、管理エリアのメイン伝送ユニットと各テナントエリアのローカル伝送ユニットとの接続配線が１本の信号線で済む。
【発明を実施するための最良の形態】
【００２６】
以下本発明を実施形態により説明する。
（実施形態１）
図１はテンナントビル内に設けた本実施形態のシステムを示しており、システム配線は図８に示す従来のシステムと同じであるが、本実施形態では、管理エリアである監視室Ｂに設置する伝送ユニット５には、赤外光によるワイヤレス信号によってアドレス設定器６に対し上記の識別情報（以下ＩＤコードという）を与えるとともに、与えたＩＤコードをテナントエリアＡ１…に設置される各操作端末器２宛に伝送信号Ｖｓの制御データＣＤとして識別情報を伝送する機能を備えている。
【００２７】
アドレス設定器６は、操作端末器２のアドレス（及び負荷番号）の変更設定を行う場合に、監視室Ｂの伝送ユニット５からＩＤコードを赤外光によるワイヤレス信号で受け取る機能と、アドレス変更設定時に負荷番号を含むアドレス設定情報を設定対象の操作端末器２にワイヤレス信号で送信する際に、獲得保持しているＩＤコードをアドレス設定情報に加えて送信する機能を備えている。
【００２８】
操作端末器２は、伝送ユニット５からＩＤコードが送られてくると、このＩＤコードを記憶し、アドレス設定変更時にアドレス設定器６からアドレス設定情報とともに送られてくるＩＤコードと、記憶している伝送ユニット５からのＩＤコードとの照合を行い、一致している場合にのみ、アドレス設定情報に基づいてアドレスの変更や負荷番号の変更を行う機能を備えている。
【００２９】
図２は本実施形態に用いる伝送ユニット５の構成を示しており、伝送ユニット５は、マイコンよりなる信号処理部５１を備え、信号処理部５１はＲＯＭ５２に書き込まれたプログラムに従って動作する。また、信号処理部５１にはドライバ／レシーバ５３を介して信号線４が接続される。さらに、関係データを保持するためのＥＥＰＲＯＭ５４、照明負荷Ｌの動作状態などを格納するＲＡＭ５５等を備える。さらに、アドレス設定器６との間でワイヤレス信号によって情報の授受を行い信号処理部５１で生成されるＩＤコードをアドレス設定器６に送信するワイヤレス信号送受信部５６を備えている。
【００３０】
尚５７は信号処理部５１の動作に用いるクロック信号を発生するための発振回路、５８は電源投入時に初期化するためのリセット回路、５９は端末内の動作電源を供給する電源回路である。
【００３１】
ここで本実施形態の伝送ユニット５の信号処理部５１は上述の伝送ユニット５としての信号処理を行う他に、アドレス設定器６からＩＤコードの要求信号がワイヤレス信号送受信部５５で受信されると、ＩＤコードを生成してアドレス設定器６にワイヤレス信号送受信部５５を介して送信させる処理や、生成したＩＤコードを伝送信号Ｖｓの制御データＣＤとして伝送させる処理を行う機能を備えている。
【００３２】
図３は操作端末器２の構成を示しており、この操作端末器２は、当該端末器２内の信号処理を行うマイコンから構成された信号処理部２１と、信号線４を介して送られくる伝送信号Ｖｓを受信するとともに、上述のように同期信号ＳＴに対応して割込信号Ｖｉを送信したり、信号返送期間ＷＴに返送信号を送信する送受信機能と、伝送信号Ｖｓを整流して動作電源を得る電源機能とを備えた多重伝送信号送受信部２２と、スイッチＳ…と、各スイッチＳ…に対応して設けたオン動作表示用のランプＬＥＤ１及びオフ動作表示用のランプＬＥＤ２と、設定アドレスや上述のＩＤコードを記憶する記憶部２３と、信号処理部２１の制御の下でアドレス設定器６との間でワイヤレス信号により情報の授受を行い、アドレス設定時にアドレス設定器６から送信されてくるＩＤコードを含むアドレス設定情報を受信したり設定アドレス情報をアドレス設定器６に送信するアドレス送受信部２４とを備えている。
【００３３】
ここで、本実施形態の操作端末器２の信号処理部２１では、伝送ユニット５からアドレス設定のためのＩＤコードが伝送されてくると記憶部２３に更新保持する機能と、アドレス設定時にアドレス設定器６から送られてくるＩＤコードと、記憶部２３で保持したＩＤコードとの照合を一致するか否かの照合処理を行い、一致時にアドレス設定情報に基づいて設定アドレスを変更し、記憶部２３に記憶させる処理を行うようになっている。
【００３４】
而して本実施形態の遠隔監視制御システムにおいて、操作端末器２のアドレス設定変更を行う場合には、ユーザはアドレス設定器６を予め監視室６に持ち込んで伝送ユニット５からＩＤコードを獲得する。この場合部外者が監視室６に入ることが困難である以上、部外者がアドレス設定器６を監視室６に持ち込んでＩＤコードを獲得するのは難しく、そのため部外者によってアドレス設定変更が不可となることでセキュリティの強化が図れる。
【００３５】
尚伝送ユニット５から定期的に更新したＩＤコードを操作端末器２に伝送することで、最新のＩＤコードを獲得していないアドレス設定器６によるアドレス設定変更を不可能としたり、テナントエリアＡ１…毎に設けた制御端末器１に対応してそのテナントエリア内の操作端末器１のみのアドレス変更が可能なようにＩＤコードをテナントエリア別に変え、或るテナントエリアの操作端末器２のアドレスを別のテナントエリア内の制御端末器１のアドレスに対応させるような変更を不可能とするようにすれば、他のテナントエリアの操作端末器２で別のテナントエリア内の照明負荷Ｌの操作や動作監視されるのを確実に防ぐことができる。
（実施形態２）
本実施形態は、図４に示すように各テンナントエリアＡ１…において独立した遠隔制御システムを構築する点では図９の従来システムと近いが、各テナントエリアＡ１…に設置する伝送ユニット、つまりローカル伝送ユニット５ａには図５に示すようにドライバ／レシーバ５３の他に、端末器１、２と同様な多重伝送信号送受信部６０を備え、ドライバ／レシーバ５３ａの信号線接続端にテナントエリアＡ１…内のローカル通信線３ａを接続して、上述の伝送ユニット５と同様にローカル通信線３ａに接続されるテナントエリアＡ１…内の制御端末器１、操作端末器１に対して伝送信号Ｖｓを伝送して情報の授受を行う一方、多重伝送信号送受信部６０の信号線接続端には監視室Ｂ内のメイン伝送ユニット５ｂ及び操作端末器１…が接続されているメイン信号線ｂ３を接続し、多重伝送信号送受信部６０を通じてメイン伝送ユニット５ｂからの伝送信号Ｖｓを受信する一方、伝送信号Ｖｓの信号返送期間ＷＴにおいて自己のテンナントエリア内の照明負荷Ｌの動作情報を返送信号としてメイン伝送ユニット５ｂに返送するようになっている。
【００３６】
尚メイン伝送ユニット５ｂの構成は、実施形態１に用いた伝送ユニット５からワイヤレス信号送受信部５６を省いた構成であるので、図示は省略する。
【００３７】
次に本実施形態のシステムの動作を説明する。
【００３８】
まず、メイン伝送ユニット５ｂは、従来の伝送ユニット５と同様な動作を為すものであり、監視室Ｂ内に設置している操作端末器２のスイッチＳの操作があって、上述したような割込処理を経て、当該操作端末器２から操作情報を監視情報として受け取ると、監視情報に対応した制御データＣＤと当該操作端末器２に対応関係を持つ制御端末器１のアドレスデータＡＤとを有する伝送信号Ｖｓを各ローカル伝送ユニット５ａにメイン信号線４ｂを介して伝送する。
【００３９】
各ローカル伝送ユニット５ａの信号処理部５１ではメイン伝送ユニット５ｂから送られてきた伝送信号Ｖｓと同じ内容の伝送信号Ｖｓをドライバ／レシーバ５３を通じてローカル通信線５ａに送出する。これにより伝送信号ＶｓのアドレスデータＡＤと一致するアドレスが設定されている制御端末器１では制御データＣＤを取り込んで照明負荷Ｌを制御データＣＤに基づいて制御する。また制御した照明負荷Ｌの動作情報を信号返送期間ＷＴにおいて返送信号としてローカル伝送ユニット５ａに返送する。この返送信号を受け取ったローカル伝送ユニット５ａは当該制御端末器１に対応付けられている同じエリア内の操作端末器１のアドレス宛に動作表示用の制御データＣＤを伝送信号Ｖｓにより伝送し、操作端末器１の動作表示を制御する。またローカル伝送ユニット５ａは信号処理部５１の制御の下で、多重伝送信号送受信部６０を通じてメイン伝送ユニット５ｂから伝送される伝送信号Ｖｓの信号返送期間ＷＴにおいて、制御された照明負荷Ｌの動作情報を返送信号としてメイン伝送ユニット５ｂに送る。この動作情報を受け取ったメイン伝送ユニット５ｂは監視室Ｂ内の対応する操作端末器２のアドレス宛に動作表示の制御データＣＤを伝送信号Ｖｓによって送ることで、監視室Ｂ内の対応する操作端末器２の動作表示を制御する。
【００４０】
一方、各テナントエリアＡ１…では、エリア内の操作端末器１のスイッチＳの操作があると、当該エリア内のローカル伝送ユニット５ａがエリア内の対応する制御端末器１宛に伝送信号Ｖｓで制御データＣＤを送り、当該制御端末器１に接続されている照明負荷Ｌを制御する。またローカル伝送ユニット５ａでは、制御端末器１から返送されてくる照明負荷Ｌの動作情報に基づいて対応する操作端末器２のアドレス宛に動作表示の制御データＣＤを伝送信号Ｖｓによって送る一方、信号処理部５１の制御の下で、多重伝送信号送受信部６０を通じてメイン伝送ユニット５ｂからの伝送信号Ｖｓの信号返送期間ＷＴにおいて、制御された照明負荷Ｌの動作情報を返送信号としてメイン伝送ユニット５ｂに送る。これにより、上述と同様にイン伝送ユニット５ｂが監視室Ｂ内の対応する操作端末器２のアドレス宛に動作表示の制御データＣＤを伝送信号Ｖｓによって送り、監視室Ｂ内の対応する操作端末器２の動作表示を制御する。
【００４１】
以上のようにして、本実施形態は、各テナントエリアＡ１…内に設けたローカル伝送ユニット５ａと制御端末器１と操作端末器２とからなる遠隔監視制御システムが独立して機能することで、或るテナントエリアにある操作端末器２のスイッチＳの操作で他のテナントエリアにある制御端末器１に接続されている照明負荷Ｌを制御するを不可能とし、テナント間のセキュリティを図っている。
【００４２】
一方、監視室Ｂ内に設けた操作端末器２のスイッチＳの操作時には、当該操作端末器２に対応する制御端末器１のアドレス宛の制御データＣＤをメイン伝送ユニット５ｂからの伝送信号Ｖｓと同じ内容の伝送信号Ｖｓを各ローカル伝送ユニット５ａが夫々に対応するローカル通信線３ａに伝送することで、対応する制御端末器１に接続されている照明負荷Ｌの制御を可能とし、また照明負荷Ｌの動作情報をローカル伝送ユニット５ａからメインローカル伝送ユニット５ｂへ返送信号として送ることで、監視室Ｂの操作端末器１の動作表示を制御することができるようになっている。つまり監視室Ｂにおいて、全テナントエリアＡ１…内の照明負荷Ｌの監視と操作を可能とし、しかもテナントエリアＡ１…のローカル伝送ユニット５ａとメイン伝送ユニット５ｂとは１本のメイン信号線４ｂで接続するため、配線が煩雑にならないという利点がある。
【図面の簡単な説明】
【００４３】
【図１】実施形態１のシステム構成図である。
【図２】実施形態１に用いる伝送ユニットの構成図である。
【図３】実施形態１に用いる操作端末器の構成図である。
【図４】実施形態２のシステム構成図である。
【図５】実施形態２に用いるローカル伝送ユニットの構成図である。
【図６】遠隔監視制御システムのシステム構成図である。
【図７】遠隔監視制御システムに用いる伝送信号のフォーマット説明図である。
【図８】従来例のシステム構成図である。
【図９】別の従来例のシステム構成図である。
【符号の説明】
【００４４】
１  制御端末器
２  操作端末器
３  分電盤
４  信号線
５  伝送ユニット
６  アドレス設定器
Ｓ  スイッチ
Ａ１〜Ａｎ  テナントエリア
Ｂ  監視室
【図１】
2008135861.tif 000003
【図２】
2008135861.tif 000004
【図３】
2008135861.tif 000005
【図４】
2008135861.tif 000006
【図５】
2008135861.tif 000007
【図６】
2008135861.tif 000008
【図７】
2008135861.tif 000009
【図８】
2008135861.tif 000010
【図９】
2008135861.tif 000011